Podtech/llm-jp-corpus-v4-ja_patent huggingface dataset:
【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
筺体と、
前記筺体に対する枢動運動のために前記筺体内に延びる終端部を含むペダルと、
回転力を生じるように適合されたトルクモータであって、前記筐体に取り付けられた前記ペダルの前記終端部及び前記トルクモータが、水平に並んだ関係で配置されて、それぞれの共線的に整列された縦軸を定義する、前記トルクモータと、
前記筐体に取り付けられた前記ペダルの前記終端部に延びると共に前記終端部に結合された第１の終端部、及び、前記トルクモータに延びると共に前記トルクモータと結合するために適合された反対側の終端部を有するシャフトと、を備え、前記トルクモータによって生じた前記回転力が、前記シャフトに伝達され、前記ペダル上の活性力の印加を結果としてもたらす、活性力ペダルアセンブリ。
【請求項２】
内部空洞を定義する筺体と、
前記筺体の前記内部空洞の中に延びるドラムであって、縦及び回転軸を定義すると共に、前記筺体に対する前記縦及び回転軸周りの前記筺体の前記内部空洞内の枢動運動に適合された、ドラムを含むペダルと、
回転力を生じるように適合されたトルクモータであって、前記筺体の前記内部空洞内に位置すると共に、前記ペダルの前記ドラムの前記縦及び回転軸と共線的な関係で配置された縦軸を定義する、トルクモータと、
前記ペダルの前記ドラムの中に延びると共に前記ドラムに結合された第１の終端部及び前記トルクモータの中に延びると共に前記トルクモータに結合するために適合された反対側の終端部を有する前記筺体内の細長いシャフトと、を備え、前記トルクモータによって生じた前記回転力が、前記細長いシャフト及び前記ペダルの前記ドラムに伝達されて、前記ペダル上の活性力の印加を結果としてもたらす、活性力ペダルアセンブリ。
【請求項３】
前記筺体が、筺体壁によって分離されたそれぞれの第１及び第２の内部筺体空洞を定義する第１ならびに第２の筺体部分を含み、前記ペダルの前記ドラムが、前記第１の内部筐体空洞の中に延びて、前記トルクモータが、前記第２の内部筐体空洞内に位置して、前記筺体壁によって前記ペダルの前記ドラムから分離されて、前記筺体壁が貫通孔を定義して、前記細長いシャフトが、前記筺体壁内で前記貫通孔を通って延びる、請求項２に記載の前記活性力ペダルアセンブリ。
【請求項４】
前記ペダルが、前記ペダルの前記ドラムの前記縦及び回転軸と、前記トルクモータの前記縦軸と、前記細長いシャフトとに概ね垂直である方向ならびに配向に前記ペダルの前記ドラムから延びるペダルアームを含む、請求項３に記載の前記活性力ペダルアセンブリ。
【手続補正２】
【補正対象書類名】明細書
【補正対象項目名】００４５
【補正方法】変更
【補正の内容】
【００４５】
上記した実施形態の多数の変形や修正が、発明の新規な特徴の趣旨や範囲から逸脱すること無く達成されてもよい。本明細書に例示された特定の活性力ペダルアセンブリに関する限定は、意図されないか、推定されるべきではないことが理解されることになる。勿論、添付の特許請求の範囲によって、特許請求の範囲内にあるような、全てのそのような修正を包含することが意図される。
下記は、出願時に開示の発明である。
＜請求項１＞
筺体と、
前記筺体に対する枢動運動のために前記筺体内に取り付けられた終端部を含むペダルと、
回転力を生じるように適合されたトルクモータと、
前記ペダルに結合された第１の終端部及び前記トルクモータと結合するために適合された反対側の終端部を有するシャフトと、を備え、前記トルクモータによって生じた前記回転力が、前記シャフトに伝達され、前記ペダル上の活性力の印加を結果としてもたらす、活性力ペダルアセンブリ。
＜請求項２＞
前記トルクモータが、前記筺体内に位置する、請求項１に記載の前記活性力ペダルアセンブリ。
＜請求項３＞
筺体壁が、前記トルクモータと前記ペダルとを分離して、前記筺体壁が開口を定義して、前記シャフトが前記開口を通って延びる、請求項２に記載の前記活性力ペダルアセンブリ。
＜請求項４＞
前記トルクモータが、直接駆動配列で前記ペダルに接続された６極トルクモータである、請求項１に記載の前記活性力ペダルアセンブリ。
＜請求項５＞
前記トルクモータを制御するために前記筺体内に組み込まれた電子機器を更に備える、請求項１に記載の前記活性力ペダルアセンブリ。
＜請求項６＞
前記活性力ペダルアセンブリが、非接触センサペダルアセンブリである、請求項１に記載の前記活性力ペダルアセンブリ。
＜請求項７＞
前記筺体内に取り付けられた前記ペダルの前記終端部が、ドラムを含み、前記ペダルの前記ドラム及び前記トルクモータが、水平に並んだ関係で配置されて、それぞれの共線的に整列された縦軸を定義する、請求項１に記載の前記活性力ペダルアセンブリ。
＜請求項８＞
内部空洞を定義する筺体と、
前記筺体の前記内部空洞の中に延びるドラムであって、縦及び回転軸を定義すると共に、前記筺体に対する前記縦及び回転軸周りの前記筺体の前記内部空洞内の枢動運動に適合された、ドラムを含むペダルと、
回転力を生じるように適合されたトルクモータであって、前記筺体の前記内部空洞内に位置すると共に、前記ペダルの前記ドラムの前記縦及び回転軸と共線的な関係で配置された縦軸を定義する、トルクモータと、
前記ペダルの前記ドラムの中に延びると共に前記ドラムに結合された第１の終端部及び前記トルクモータの中に延びると共に前記トルクモータに結合するために適合された反対側の終端部を有する前記筺体内の細長いシャフトと、を備え、前記トルクモータによって生じた前記回転力が、前記シャフト及び前記ペダルの前記ドラムに伝達されて、前記ペダル上の活性力の印加を結果としてもたらす、活性力ペダルアセンブリ。
＜請求項９＞
前記筺体が、筺体壁によって分離されたそれぞれの第１及び第２の内部筺体空洞を定義する第１ならびに第２の筺体部分を含み、前記ペダルの前記ドラムが、前記第１の内部空洞の中に延びて、前記トルクモータが、前記第２の内部空洞内に位置して、前記筺体壁によって前記ペダルの前記ドラムから分離されて、前記筺体壁が貫通孔を定義して、前記シャフトが、前記筺体壁内で前記貫通孔を通って延びる、請求項８に記載の前記活性力ペダルアセンブリ。
＜請求項１０＞
前記ペダルが、前記ペダルの前記ドラムの前記縦及び回転軸と、前記トルクモータの前記縦軸と、前記シャフトとに概ね垂直である方向ならびに配向に前記ペダルの前記ドラムから延びるペダルアームを含む、請求項９に記載の前記活性力ペダルアセンブリ。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
２輪車両において、
フレームアセンブリであって、
ヘッド部分、複数の略垂直に延在するフレームチューブ、および複数の略長手方向に延在するフレームチューブを含む前部フレーム部分と、
前記前部フレーム部分に取外し可能に結合された中間フレーム部分と、
前記中間フレーム部分に取外し可能に結合された後部フレーム部分と
を含むフレームアセンブリ、
前記フレームアセンブリを支持するための複数の地面係合部材、ならびに
前記ヘッド部分および前記長手方向に延在するフレームチューブに結合された吸気アセンブリ
を備え、前記長手方向に延在するフレームチューブがそれらの間の距離を増大するために外方に角度を付けられ、前記吸気アセンブリが、前記長手方向に延在するフレームチューブの間に配置され、且つ前記長手方向に延在するフレームチューブを受け入れるように構成されたチャネル部材を含むことを特徴とする２輪車両。
【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
フルートの軸を定義しており、フルートピッチを有する少なくとも一つのフルート加工された中間品を有する段ボールに位置合わせされた修正部を作る方法であって、本方法は、
段ボールのフルート加工された中間品の造作部の位置を確認する工程と、
前記位置合わせされた修正部の所望の位置を規定するために、前記フルートの軸に対して直交する方向の前記造作部からの距離を決定する工程と、
前記位置合わせされた修正部を設ける工程と、
を備えていることを特徴とする方法。
【請求項２】
前記位置合わせされた修正部が実質的に直線状であり、前記フルートの軸と一致することを特徴とする請求項１記載の方法。
【請求項３】
前記修正部が、位置合わせされた縁部であることを特徴とする請求項２記載の方法。
【請求項４】
前記修正部が、スリット、スロットまたはスコアであることを特徴とする請求項２記載の方法。
【請求項５】
前記フルートのピッチが、第一の位置合わせされた修正部の位置と組み合わされる第二の位置合わせされた修正部の位置を規定するために使用されることを特徴とする請求項１記載の方法。
【請求項６】
前記第二の位置合わせされた修正部の位置が、第一の位置合わせされた修正部に隣接または近接した位置であることを特徴とする請求項５記載の方法。
【請求項７】
第二の位置合わせされた修正部の位置が、前記フルート加工された中間品のピッチの倍数であり、さらに、本方法が、実質的に直線状であり前記フルートの軸と一致する第二の修正部を設ける工程を備えていることを特徴とする請求項５記載の方法。
【請求項８】
第一の位置合わせされた修正部が第一の直線状のスコアであり、前記フルートの軸と一致しており、前記フルートピッチは、第一の位置合わせされた修正部の位置と組み合わされた前記フルートの軸と一致する第二の直線状のスコアである第二の位置合わせされた修正部の位置を規定するために利用されることを特徴とする請求項１記載の方法。
【請求項９】
第一の直線状のスコアと第二の直線状のスコアとは相互に隣接または近接していることを特徴とする請求項８記載の方法。
【請求項１０】
前記フルートピッチは、第一の位置合わせされた修正部の位置と組み合わされた複数の位置合わせされた修正部の位置を規定するために使用されることを特徴とする請求項１記載の方法。
【請求項１１】
第一の位置合わせされた修正部が、位置合わせされた縁部であることを特徴とする請求項１０記載の方法。
【請求項１２】
前記複数の位置合わせされた修正部が前記位置合わせされた縁部と実質的に平行であることを特徴とする請求項１１記載の方法。
【請求項１３】
第一の位置合わせされた修正部が、フルートの谷部の中に存在することを特徴とする請求項１記載の方法。
【請求項１４】
第一の位置合わせされた修正部が、スリット、スロットまたはスコアであることを特徴とする請求項１３記載の方法。
【請求項１５】
段ボールが修正加工されるときに第一の修正部が角部を形成することを特徴とする請求項１３記載の方法。
【請求項１６】
第二の位置合わせされた修正部の位置は前記フルート加工された中間品のピッチの倍数であり、本方法は、実質的に直線状であり、フルートの谷部内の前記フルートの軸と一致する第二の修正部を設ける工程をさらに含んでいる、請求項１３記載の方法。
【請求項１７】
第一の位置合わせされた修正部は第一の直線状のスコアであり、フルートの谷部と一致しており、前記フルートピッチは、第一の位置合わせされた修正部の位置と組み合わされた前記フルートの谷部と一致する第二の直線状のスコアである第二の位置合わせされた修正部の位置を規定するために利用されることを特徴とする請求項１３記載の方法。
【請求項１８】
第一の直線状のスコアと第二の直線状のスコアとは、相互に隣接または近接していることを特徴とする請求項１７記載の方法。
【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
発泡体（１１）を備えた粒子発泡体構造部材（１０）であって前記発泡体が少なくともその外側表面の部分領域においてプラスチック材料からなる１つの被覆層（１３）を有している粒子発泡体構造部材の製造方法であって、前記発泡体（１１）が金型（２０）の中で発泡され、それに続く工程ステップにおいて、前記被覆層（１３）上に又は前記被覆層に対して吹き付けられ、この場合、前記発泡体（１１）の前記被覆層（１３）を支える表面領域において、前記被覆層（１３）を被着する前に、圧縮された表面構造（１３）が形成され、前記被覆層（１３）が前記圧縮された表面構造（１２）と材料結合される製造方法において、前記発泡体（１１）の前記圧縮された表面構造（１２）が、外部の圧縮力を前記発泡体（１１）に作用させることにより形成されることを特徴とする粒子発泡体構造部材製造方法。
【請求項２】
前記圧縮力が作用する前記発泡体（１１）の表面領域が、少なくとも部分的に、前記圧縮力を加える前に及び／又は加えている間に、溶融されることを特徴とする請求項１に記載の粒子発泡体構造部材製造方法。
【請求項３】
前記圧縮力がスタンピング金型を用いて加えられることを特徴とする請求項１又は２に記載の粒子発泡体構造部材製造方法。
【請求項４】
前記スタンピング金型が前記金型（２０）の移動可能な金型部分（２４）により形成されていることを特徴とする請求項３に記載の粒子発泡体構造部材製造方法。
【請求項５】
前記発泡体（１１）の前記圧縮された表面構造（１２）が、前記発泡体（１１）の発泡時に形成されることを特徴とする請求項１に記載の粒子発泡体構造部材製造方法。
【請求項６】
前記発泡体（１１）の前記圧縮された表面構造（１２）が、前記発泡体（１１）の発泡後に形成されることを特徴とする請求項１に記載の粒子発泡体構造部材製造方法。
【請求項７】
前記被覆層（１３）を形成する前記プラスチック材料が熱可塑性エラストマーであることを特徴とする請求項１〜６のいずれか１項に記載の粒子発泡体構造部材製造方法。
【請求項８】
前記圧縮された表面構造（１２）が少なくとも部分的に、前記被覆層（１３）を被着する前に又は被着する間に溶融されることを特徴とする請求項１〜７のいずれか１項に記載の粒子発泡体構造部材製造方法。
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
スクリーン印刷機用に乳剤が塗布されたスクリーンを作成する装置であって、
スクリーンを受け入れるためのスクリーン支持構造体を有するハウジングと、
スクリーンの第１側面上に印刷するための、前記ハウジングに取り付けられたプリントアプリケータであって、ある供給量の紫外線遮断剤を格納するリザーバと流体連通し、前記スクリーン支持構造体に対して相対的に動くように構成された、プリントアプリケータと、
前記ハウジングに取り付けられ、前記プリントアプリケータによる印刷の後にスクリーンの前記第１側面を紫外線に露光させるように配置された、紫外線光源と
を備える、装置。
【請求項２】
前記プリントアプリケータはデジタルプリンタヘッドを備える、請求項１に記載の装置。
【請求項３】
前記スクリーン支持構造体は第１方向に移動可能である、請求項１に記載の装置。
【請求項４】
前記プリントアプリケータは前記第１方向に対して垂直の第２方向に移動可能である、請求項３に記載の装置。
【請求項５】
前記プリンタヘッドとスクリーンの前記第１側面の間の距離は約１と１／２ミリメートルである、請求項２に記載の装置。
【請求項６】
前記紫外線光源は、前記ハウジングに枢動可能に装着されて、前記ハウジング上でスクリーンの装填と除去を行うための上位置と、印刷後に前記スクリーンを紫外線に露光させるための下位置とから移動できる、請求項１に記載の装置。
【請求項７】
前記紫外線光源は、前記ハウジングの前方に取り付けられ、前記スクリーン支持構造体と作動的に位置揃えされる、請求項１に記載の装置。
【請求項８】
前記紫外線光源は配列したライトを備える、請求項１に記載の装置。
【請求項９】
前記紫外線光源は発光ダイオードを備える、請求項１に記載の装置。
【請求項１０】
前記発光ダイオードは、複数の横列と複数の斜めの縦列の形に配列している、請求項９に記載の装置。
【請求項１１】
前記複数の横列の発光ダイオードの第１横列から、前記複数の横列の発光ダイオードの第２横列の間に約３０％の重なりが存在する、請求項１０に記載の装置。
【請求項１２】
前記スクリーン支持構造体と、前記プリントアプリケータ及び前記紫外線光源の双方との間の相対運動の１回の通過中に、スクリーンに印刷でき、前記スクリーンを紫外線に露光させることができるように、前記プリントアプリケータと前記紫外線光源とが前記ハウジング上に位置付けられている、請求項１に記載の装置。
【請求項１３】
前記スクリーン支持構造体上のスクリーンを、前記プリントアプリケータと位置揃えするための、前記ハウジング上の見当合わせシステムを更に備える、請求項１に記載の装置。
【請求項１４】
前記ハウジングに接続されたコントローラを更に備える、請求項１に記載の装置。
【請求項１５】
前記コントローラは、スクリーンに印刷するためのイメージを受け取る、請求項１４に記載の装置。
【請求項１６】
スクリーン印刷機用のスクリーンを作成する方法であって、
ある供給量の紫外線遮断剤を保持するリザーバと流体連通しているプリントアプリケータと、前記プリントアプリケータと作動的に位置揃えされるスクリーン支持構造体と、前記スクリーン支持構造体と作動的に位置揃えされる紫外線光源と、を有するハウジングを提供するステップと、
前記プリントアプリケータで印刷するための、デジタル的に符号化されたデザインを受け取るステップと、
予め張られ、第１表面に紫外線感光乳剤塗布膜を有するスクリーンを、前記ハウジングの前記スクリーン支持構造体上に装填するステップと、
前記予め張られたスクリーンが前記スクリーン支持構造体上に存在している時に、前記スクリーン支持構造体と前記ハウジング上の前記プリントアプリケータとの間の第１の相対運動を提供するステップと、
前記第１の相対運動を提供するステップ中、前記予め張られたスクリーン上の前記紫外線感光乳剤塗布膜に、ある量の前記紫外線遮断剤を印刷するステップと、
前記スクリーン上の前記紫外線感光塗布膜と前記紫外線遮断剤とを、前記ハウジング上の前記紫外線光源に露光させるステップと
を含む、方法。
【請求項１７】
前記露光させるステップは、前記第１の相対運動を提供するステップ中に発生する、請求項１６に記載の方法。
【請求項１８】
前記スクリーンが前記スクリーン支持構造体上に存在している時且つ前記紫外線遮断剤が前記紫外線感光乳剤塗布膜に塗布された後に、前記スクリーン支持構造体と前記紫外線光源の間の第２の相対運動を提供するステップを更に含む、請求項１６に記載の方法であって、前記第２の相対運動ステップ中に、前記紫外線光源に対する前記紫外線感光塗布膜及び前記紫外線遮断剤の前記露光が発生する、方法。
【請求項１９】
前記予め張られたスクリーンを受け入れるステップの前に、前記紫外線光源を上位置へと枢動させるステップと、
前記予め張られたスクリーンを受け入れるステップの後に、前記紫外線光源を下位置へと枢動させるステップと
を更に含む、請求項１６に記載の方法。
【請求項２０】
前記予め張られたスクリーンを前記ハウジングから除去するステップと、
前記予め張られたスクリーンに噴霧するステップと、
前記予め張られたスクリーンを乾燥させるステップと
を更に含む、請求項１６に記載の方法。
【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
媒体中のスラリーの泡沫浮遊選鉱分離の性能を向上させる方法であって、
スラリーに、疎水性の反応生成物、界面活性剤、ならびに任意の希釈剤および任意のカップリング剤を含む組成物を添加するステップと、
スラリーをスパージすることによりスラリーから濃縮物を取り出すステップと
を含み、
前記疎水性の反応生成物が、不飽和のモノカルボン酸およびポリカルボン酸、それらの前駆体、それらのエステル、それらの無水物、それらのハロゲン化アシル、それらの塩、それらのアミド、またはそれらのブレンドと、不飽和脂肪酸またはそのエステル、および／または、４００から１０，０００ダルトンの範囲の分子量を有するポリオレフィンとの反応生成物である、
ことを特徴とする方法。
【請求項２】
請求項１に記載の方法であって、前記不飽和脂肪酸またはそのエステルが、トリグリセリド油を含むことを特徴とする方法。
【請求項３】
請求項１に記載の方法であって、前記不飽和脂肪酸またはそのエステルが、ラウロレイン酸部分、ミリストレイン酸部分、パルミトレイン酸部分、オレイン酸部分、エルカ酸部分、マレイン酸部分、フマル酸部分、グルタコン酸部分、シトラコン酸部分、メサコン酸部分、アコニット酸部分、イタコン酸部分、５−ノルボルネン−２，３−ジカルボン酸部分、および１，２，３，６−テトラヒドロフタル酸部分から選択される１つ以上の部分を含むことを特徴とする方法。
【請求項４】
請求項１に記載の方法であって、前記不飽和脂肪酸が、直鎖のまたは分岐した炭素鎖を有するＣ６〜Ｃ２４不飽和脂肪酸、パルミトレイン酸、オレイン酸、リノール酸、リノレン酸、リシノール酸、エレオステアリン酸、ドコサヘキサエン酸、エイコサペンタエン酸、およびそれらの任意の組合せからなるリストから選択されることを特徴とする方法。
【請求項５】
請求項１に記載の方法であって、前記疎水性の反応生成物が、マレイン化されたアマニ油のポリマー、熱重合したアマニ油、トール油から調製されたオリゴマー酸、およびそれらの任意の組合せからなるリストから選択されることを特徴とする方法。
【請求項６】
請求項１に記載の方法であって、前記疎水性の反応生成物が、不飽和ポリカルボン酸、それらのエステル、それらの無水物、それらのハロゲン化アシル、またはそれらの組合せとポリオレフィンとを反応させることにより製造されることを特徴とする方法。
【請求項７】
請求項６に記載の方法であって、前記ポリオレフィンが、エチレン、プロピレン、１−ブテン、２−ブテン、イソブテン、ペンテン、ヘキセンもしくはヘプテン、またはそれらの任意の組合せから誘導されたものであることを特徴とする方法。
【請求項８】
請求項６に記載の方法であって、前記ポリオレフィンがポリイソブテニルコハク酸無水物であることを特徴とする方法。
【請求項９】
請求項１に記載の方法であって、前記界面活性剤が、脂肪アルコールのポリグリコールエーテル、アルキルフェノールのポリグリコールエーテル、脂肪酸のポリグリコールエステル、脂肪酸アミドのポリグリコールエーテル、脂肪アミンのポリグリコールエーテル、アルコキシル化されたトリグリセリド、アルキル（アルケニル）オリゴグルコシド、脂肪酸−Ｎ−アルキルグルカミド、タンパク質の加水分解物、ポリオールの脂肪酸エステル、糖エステル、ソルビタンエステルおよびポリソルベート、ポリオキシエチレンのアルキルエーテル、ポリオキシエチレンのアルキルフェニルエーテル、エーテルエステル、ポリエチレングリセロールの脂肪酸エステル；ポリエチレングリコールの脂肪酸エステル、ならびにそれらの任意の組合せからなるリストから選択されるものであることを特徴とする方法。
【請求項１０】
請求項１に記載の方法であって、前記希釈剤または前記カップリング剤が、ソルバトロープ、カップリング剤、水および油に混和性の有機溶媒、アルコール、ケトン、カルボン酸、カルボン酸のエステル、脂肪族、芳香族、テルペン系、パラフィン系、イソパラフィン系およびオレフィン系の炭化水素、アルコールおよびグリコールのエーテル、ならびにそれらの任意の組合せからなる群から選択される１品目であることを特徴とする方法。
【請求項１１】
請求項１に記載の方法であって、
前記組成物とベース液とを混合し、スラリーに添加する前に、選択された組成物対ベース液比を提供するステップと、
前記濃縮物を取り出す速度を測定するステップと、
前記濃縮物を取り出す速度を増大させるように前記比を調節するステップと
をさらに含むことを特徴とする方法。
【請求項１２】
請求項１に記載の方法であって、前記スラリーが粉砕された石炭を含有することを特徴とする方法。
【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
縦軸を有する内部空間が形成され、第１閉口端と第２開口端に隣接する少なくとも１つの接合要素とを有する凹状のハウジングと；
前記内部空間に保持され、第１軸端から第２軸端に伸びる前記縦軸を包囲するように配置される濾材と；
前記濾材の前記第１軸端に保持され、前記少なくとも１つの接合要素を補完する外側表面を有し、前記第２開口端を囲い、流体流入口と流体流出口とを有する第１蓋部と；
前記ハウジングの包囲するように構成され、前記第１蓋部の前記外側表面と前記少なくとも１つの接合要素とを補完する内側表面を有する留め具と；を備え、
前記留め具と前記第１蓋部との両方は前記少なくとも１つの接合要素によって接合されて互いに保持され、前記ハウジングを前記第１蓋部に保持する、複合フィルタカートリッジ。
【請求項２】
前記ハウジングは円筒状であり、前記少なくとも１つの接合要素のハウジングの前記第２開口端は連続又は連続していない縁部が形成され、前記第１蓋部の外側表面と前記留め具とは回転対称であり、前記第１蓋部と前記留め具とは互いにスピン結合される、請求項１に記載の複合フィルタカートリッジ。
【請求項３】
前記第１蓋部と前記留め具とは溶剤によって溶接または接着剤によって接着される、請求項１に記載の複合フィルタカートリッジ。
【請求項４】
前記留め具は前記ハウジングの前記第２開口端に面する肩部を形成する、請求項１に記載の複合フィルタカートリッジ。
【請求項５】
前記留め具には接合するためのフィルタヘッドの補完的な構造に取付構造が形成されることにより、前記カートリッジが前記フィルタヘッドに保持される、請求項１に記載の複合フィルタカートリッジ。
【請求項６】
前記第１蓋部の外側表面は第１肩部を形成する第１直径及び第２直径を有し、前記留め具は第２肩部を形成する第２直径及び第３直径を有し、前記少なくとも１つの接合要素は前記第１肩部及び前記第２肩部にトラップされ、前記留め具が前記第１蓋部に結合される、請求項１に記載の複合フィルタカートリッジ。
【請求項７】
前記ハウジングは金属製であり、前記第１蓋部及び前記留め具はプラスチック製である、請求項１に記載の複合フィルタカートリッジ。
【請求項８】
開口端と前記開口端に隣接する接合要素とを有する内部空間を有し、前記内部空間は縦軸を包囲する凹状のハウジングを形成する工程と；
前記縦軸を包囲し、第１軸端と第２軸端との間に伸びる濾材を準備する工程と；
前記開口端を包囲し、前記濾材の外側の前記内部空間の領域と連絡する流体流入口と前記濾材に包囲された前記内部空間の領域と連絡する流体流出口とが形成され、前記接合要素を補完する周辺表面を有する第１蓋部を前記濾材の前記第１軸端に保持する工程と；
前記濾材の第２軸端を囲い前記第２軸端を閉じる第２蓋部を、前記濾材の第２軸端に保持する工程と；
前記濾材、前記第１蓋部及び前記第２蓋部を前記ハウジングの内部空間に挿入し、前記前記第１蓋部の周辺表面を前記接合要素に嵌め合わせる工程と；
前記ハウジングを包囲し、前記第１蓋部の周辺表面と前記接合要素とを補完する内側表面を有する留め具を準備する工程と；
前記流体流入口は前記濾材の外側の内部空間の領域と連絡し、前記流体流出口は前記濾材に包囲された前記内部空間の領域と連絡し、前記内部空間に流入する液体が前記濾材を通過して前記カートリッジから流出されるよう、前記接合要素が前記第１蓋部の外側表面と前記留め具の内側表面との間にトラップされることにより前記第１蓋部を前記ハウジングに保持し、前記第１蓋部と留め具とを結合する工程と、を含む、複合フィルタカートリッジの製造方法。
【請求項９】
前記ハウジングを形成する工程は金属製ハウジングを準備する工程であり、前記第１蓋部及び留め具を準備する工程はプラスチック製の第１蓋部及び留め具を準備する工程である、請求項８に記載の複合フィルタカートリッジの製造方法。
【請求項１０】
前記第１蓋部と留め具とを結合する工程は、前記第１蓋部と前記留め具とをスピン結合、溶剤による溶接または接着剤による接着で結合する工程である、請求項９に記載の複合フィルタカートリッジの製造方法。
【請求項１１】
前記ハウジングは円筒状であり、前記第１蓋部の前記外側表面と前記留め具の前記内側表面とは回転対称である、請求項８に記載の複合フィルタカートリッジの製造方法。
【請求項１２】
前記上端の蓋部と留め具とを結合する工程は、前記第１蓋部と前記留め具とをスピン結合する工程である、請求項１１に記載の複合フィルタカートリッジの製造方法。
【請求項１３】
前記留め具を準備する工程は、前記複合フィルタカートリッジをフィルタヘッドに保持するための取付構造を含む外側表面を有する留め具を準備する工程を含む、請求項８に記載の複合フィルタカートリッジの製造方法。
【請求項１４】
前記濾材の第２軸端に保持され、前記濾材の第２軸端を囲い、前記第２軸端を閉じる第２蓋部を有する、請求項１に記載の複合フィルタカートリッジ。
【手続補正書】
【提出日】平成29年3月2日(2017.3.2)
【手続補正１】
【補正対象書類名】特許請求の範囲
【補正対象項目名】全文
【補正方法】変更
【補正の内容】
【特許請求の範囲】
【請求項１】
水溶液からクロラミン及び水銀を除去するための方法であって、
クロラミン及び水銀を含む水溶液を準備する工程と、
前記水溶液を、多孔質炭素基材を含む媒体と接触させる工程と、を含み、前記多孔質炭素基材が、少なくとも１．５質量％のイオウを含む、方法。
【請求項２】
前記多孔質炭素基材が、主として微小多孔性である、請求項１に記載の方法。
【請求項３】
前記多孔質炭素基材の表面が、ＣＯｘＳｙの種を含み、式中、ｘが０．１以下であり、ｙが０．００５〜０．３である、請求項１ないし２に記載の方法。
【請求項４】
前記多孔質炭素基材が、窒素を更に含み、前記イオウと窒素との和が、少なくとも４．０質量％である、請求項１ないし３のいずれかに記載の方法。
【請求項５】
前記多孔質炭素基材が、活性炭である、請求項１に記載の方法。
【請求項６】
前記媒体の少なくとも０．２質量％が、ＸＰＳ表面分析に基づいて、０より高い酸化状態のイオウを含む、請求項１ないし４のいずれかに記載の方法。
【請求項７】
前記媒体が、０．６ｇ／ｃｃ超の容積密度を有する、請求項１ないし５のいずれかに記載の方法。
【請求項８】
前記媒体が、３％未満の灰分を有する、請求項１ないし６のいずれかに記載の方法。
【請求項９】
水溶液から有機化合物を除去するための方法であって、
少なくとも０．５ｐｐｍのクロラミンと水銀とを含む水溶液を、少なくとも１．５質量％のイオウを有する多孔質炭素基材を含む媒体と接触させる工程と、溶出液を回収する工程とを、含み、前記溶出液が、０．１ｐｐｍ未満のクロラミンを含む、方法。
【請求項１０】
方法であって、
（ｉ）炭素支持体の表面と、（ｉｉ）イオウを含む反応物質化合物との熱処理によって作製された媒体を準備する工程と、
前記媒体をクロラミン及び水銀を含む水溶液に接触させる工程と、を含み、
前記媒体との接触後に、前記水溶液が、減少した量のクロラミンと、減少した量の水銀とを有する、方法。
【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
多孔性基板上にゼオライトおよび／またはゼオライト様結晶を含む結晶膜を製造するための方法であって、
ａ）多孔性基板を用意する工程と、
ｂ）１つまたはそれ以上の疎水剤を含む組成物による処理によって、前記多孔性基板の少なくとも一部を疎水性にする工程と、
ｃ）工程ｂ）で得られる疎水性の多孔性基板を、１つまたはそれ以上の両親媒性物質および／または１つまたはそれ以上のイオン性ポリマーを含む組成物で処理する工程と、
ｄ）前記処理された多孔性基板を、ゼオライトおよび／またはゼオライト様結晶を含む組成物にさらすことにより、前記処理された多孔性基板上に、ゼオライトおよび／またはゼオライト様結晶を堆積および付着させる工程と、
ｅ）工程ｄ）で得られる前記処理された多孔性基板上で、ゼオライトおよび／またはゼオライト様結晶を含む結晶膜を成長させる工程と
を含む前記方法。
【請求項２】
１つまたはそれ以上の両親媒性物質は、工程ｄ）の組成物に添加される、請求項１に記載の方法。
【請求項３】
工程ｅ）の後に、工程ｆ）：
ｆ）か焼
を更に含む、請求項１または２に記載の方法。
【請求項４】
疎水剤は、１つまたはそれ以上のヒドロキサメート、および／または、アルキルシラン、フッ素化アルキルシラン、パーフルオロ化アルキルシラン、アルコキシシラン、ヒドロ
シラン、クロロシラン、アミノシラン、メルカプトシラン、もしくはこれらの組み合わせから選択される、１つまたはそれ以上のシランカップリング剤を含む、請求項１〜３のいずれか１項に記載の方法。
【請求項５】
疎水剤は、以下の化合物：オクチルヒドロキサメート、デシルヒドロキサメート、ドデシルヒドロキサメート、Ｎ−（６−アミノヘキシル）アミノメチルトリエトキシシラン、３−メルカプトヘキシル−トリメトキシシラン、オクタデシルトリヒドロシラン、トリエトキシプロピルシラン、１Ｈ，１Ｈ，２Ｈ，２Ｈ−パーフルオロデシルトリエトキシシラン、１Ｈ，１Ｈ，２Ｈ，２Ｈ−パーフルオロデシルトリクロロシラン、トリメチルオクチルシラン、オクチルトリメトキシシラン、１Ｈ，１Ｈ，２Ｈ，２Ｈ−パーフルオロセチルメチルジクロロシラン、１Ｈ，１Ｈ，２Ｈ，２Ｈ−パーフルオロオクチルトリメトキシシラン、またはこれらの組み合わせのうちの１つまたはそれ以上から選択される、請求項１〜４のいずれか１項に記載の方法。
【請求項６】
ゼオライトおよび／またはゼオライト様材料は、シリカライト、シリカライト−１、ゼオライトＡ、ゼオライトベータ、ゼオライトＬ、Ｙ、Ｘ、ＺＳＭ−２２、ＺＳＭ−１１、ＺＳＭ−５、ＺＳＭ−２、ＬＴＡ、ＳＡＰＯ−３４、ＤＤＲ、モルデナイト、チャバザイト、ソーダライト、フェリエライト、およびフィリプサイトを含む群から選択される、請求項１〜５のいずれか１項に記載の方法。
【請求項７】
１つまたはそれ以上の両親媒性物質は、アニオンまたはカチオンを含む、請求項１〜６のいずれか１項に記載の方法。
【請求項８】
１つまたはそれ以上の両親媒性物質は、アルキルアンモニウムイオン、カルボン酸の塩、アルキルスルフェート、アルキルスルホネート、アルキルホスフェート、アルキルホスホネート、またはこれらの組み合わせを含む群から選択される、請求項７に記載の方法。
【請求項９】
イオン性ポリマーはカチオン性ポリマーである、請求項１〜８のいずれか１項に記載の方法。
【請求項１０】
結晶は、工程ｄ）で前記処理された多孔性基板上に堆積する前に、より低い親水性にされる、請求項１〜９のいずれか１項に記載の方法。
【請求項１１】
結晶の１つまたはそれ以上のシラノール基のエステル化により、結晶はより低い親水性にされる、請求項１０に記載の方法。
【請求項１２】
多孔性基板上に堆積したゼオライトおよび／またはゼオライト様結晶を含み、請求項１〜１１のいずれか１項に記載の方法により得られる、結晶膜。
【請求項１３】
請求項１２に記載の多孔性基板上に堆積したゼオライトおよび／またはゼオライト様結晶を含む結晶膜を含む物品。
【請求項１４】
請求項１２に記載の結晶膜を含む、メンブレン、触媒、センサー、吸着材、または電極。
【請求項１５】
請求項１２に記載の多孔性基板上に堆積したゼオライトおよび／またはゼオライト様結晶を含む結晶膜を含む複合異方性メンブレンであって、多孔性基板の気孔にはシリカ化学種が無いことを特徴とする、前記複合異方性メンブレン。
【手続補正書】
【提出日】平成29年3月27日(2017.3.27)
【手続補正１】
【補正対象書類名】特許請求の範囲
【補正対象項目名】全文
【補正方法】変更
【補正の内容】
【特許請求の範囲】
【請求項１】
カルボン酸基を含む生成物にプロピレンを転化する触媒であって、
前記触媒は、
ＭｏＶＧａＰｄＮｂＸＹ
を含み、
式中、
Ｘは、Ｌａ、Ｔｅ、Ｇｅ、Ｚｎ、Ｉｎ、またはＷを含み、
Ｙは、ＡｌまたはＳｉを含み、
前記Ｍｏ、Ｖ、Ｇａ、Ｐｄ、Ｎｂ、Ｌａ、Ｔｅ、Ｇｅ、Ｚｎ、Ｉｎ、Ｗ、Ａｌ、および／またはＳｉの１つ以上は、必要に応じて酸素と結合して存在し、
前記触媒は、前記プロピレンを前記生成物に転化する触媒として作用する、追加の元素を含まない、
ことを特徴とする、カルボン酸基を含む生成物にプロピレンを転化する触媒。
【請求項２】
前記生成物が、実質的にアクロレインを含まないことを特徴とする、請求項１に記載の触媒。
【請求項３】
前記生成物が、アクロレインを含まないことを特徴とする、請求項１または２のいずれかに記載の触媒。
【請求項４】
カルボン酸基を含む生成物にプロピレンを転化する触媒であって、
前記触媒は、本質的に、
ＭｏＶＧａＰｄＮｂＸＹ
から成り、
式中、
Ｘは、Ｌａ、Ｔｅ、Ｇｅ、Ｚｎ、Ｉｎ、またはＷを含み、
Ｙは、ＡｌまたはＳｉを含み、
前記Ｍｏ、Ｖ、Ｇａ、Ｐｄ、Ｎｂ、Ｌａ、Ｔｅ、Ｇｅ、Ｚｎ、Ｉｎ、Ｗ、Ａｌ、および／またはＳｉは、必要に応じて酸素と結合して存在する、
ことを特徴とする、カルボン酸基を含む生成物にプロピレンを転化する触媒。
【請求項５】
前記触媒が担体上にあり、および、
前記触媒が、
ＭｏａＶｂＧａｃＰｄｄＮｂｅＸｆＹｇ
を含み、
式中、ａは１であり、ｂの存在量は、０．０１から０．９０の範囲であり、ｃの存在量は、０超から０．２０の範囲であり、ｄの存在量は、０．００００００１から０．２０の範囲であり、ｅの存在量は、０超から０．２０の範囲であり、ｆの存在量は、０超から０．８０の範囲であり、ｇの存在量は、０．５０超から０．９０の範囲であって、
前記ａ、ｂ、ｃ、ｄ、ｅ、ｆ、およびｇの数値は、前記触媒中の元素の相対的グラム原子比を表す、ことを特徴とする、請求項１〜３のいずれか１項に記載の触媒。
【請求項６】
カルボン酸基を含む生成物にプロピレンを転化する方法であって、
前記方法は、
前記プロピレンを触媒と接触させる工程を含み、
前記触媒は、
ＭｏＶＧａＰｄＮｂＸＹ
を含み、
式中、
Ｘは、Ｌａ、Ｔｅ、Ｇｅ、Ｚｎ、Ｉｎ、またはＷを含み、
Ｙは、ＡｌまたはＳｉを含み、
前記Ｍｏ、Ｖ、Ｇａ、Ｐｄ、Ｎｂ、Ｌａ、Ｔｅ、Ｇｅ、Ｚｎ、Ｉｎ、Ｗ、Ａｌ、および／またはＳｉは、必要に応じて酸素と結合して存在する、
ことを特徴とする、カルボン酸基を含む生成物にプロピレンを転化する方法。
【請求項７】
前記触媒が、
ＭｏａＶｂＧａｃＰｄｄＮｂｅＸｆＹｇ
を含み、
式中、ａは１であり、ｂの存在量は、０．０１から０．９０の範囲であり、ｃの存在量は、０超から０．２０の範囲であり、ｄの存在量は、０．００００００１から０．２０の範囲であり、ｅの存在量は、０超から０．２０の範囲であり、ｆの存在量は、０超から０．８０の範囲であり、ｇの存在量は、０超から０．９０の範囲であって、
前記ａ、ｂ、ｃ、ｄ、ｅ、ｆ、およびｇの数値は、前記触媒中の元素の相対的グラム原子比を表す、
ことを特徴とする、請求項６に記載の方法。
【請求項８】
前記生成物が、酢酸、アクリル酸、もしくはプロパン酸、またはこれらの組み合わせを含むことを特徴とする、請求項６または７に記載の方法。
【請求項９】
前記生成物が、実質的にアクロレインを含まないことを特徴とする、請求項６〜８のいずれか１項に記載の方法。
【請求項１０】
前記生成物が、アクロレインを含まないことを特徴とする、請求項６〜９のいずれか１項に記載の方法。
【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
処置面を有し、複数の電気的に絶縁された区画を備える治療トランスデューサと、
前記治療トランスデューサの前記処置面内に治療開口部を画成する、少なくとも１つの凹面音響レンズと、
前記治療トランスデューサの前記処置面、または前記少なくとも１つの凹面音響レンズのどちらかにより画成された画像化開口部と、
前記治療開口部の中央軸と軸方向に整列した超音波画像化プローブと、を備える、
超音波機器。
【請求項２】
前記少なくとも１つの凹面音響レンズが単一の凹面音響レンズであり、前記単一の音響レンズが前記画像化開口部を画成し、前記単一の音響レンズがそれぞれ曲率半径を有する複数の扇形域を備え、および前記治療トランスデューサの前記複数の電気的に絶縁された区画のそれぞれが前記単一の音響レンズの前記複数の扇形域のうちの１つに連結された、請求項１に記載の超音波機器。
【請求項３】
前記少なくとも１つの凹面音響レンズが複数の凹面音響レンズであり、前記治療トランスデューサの前記複数の電気的に絶縁された区画のそれぞれが、前記複数の音響レンズのうちの１つに連結された、請求項１に記載の超音波機器。
【請求項４】
前記治療トランスデューサの前記複数の電気的に絶縁された区画がそれぞれ曲率半径を有し、ともに単一の音響レンズを画成する、請求項１に記載の超音波機器。
【請求項５】
前記音響レンズの前記複数の扇形域が、４個の扇形域から１００個の扇形域の間である、請求項２に記載の超音波機器。
【請求項６】
前記複数の凹面音響レンズが、４個の音響レンズから１００個の音響レンズの間である、請求項３に記載の超音波機器。
【請求項７】
前記治療トランスデューサの前記複数の電気的に絶縁された区画が、４個の区画から１０００個の区画の間である、請求項１から請求項６のうちのいずれか１つに記載の超音波機器。
【請求項８】
前記音響レンズの前記複数の扇形域のそれぞれの曲率半径が、前記音響レンズの曲率半径より小さい、請求項２、請求項５または請求項７のうちのいずれか１つに記載の超音波機器。
【請求項９】
前記音響レンズの前記複数の扇形域のそれぞれの曲率半径が同一である、請求項２、請求項５または請求項７から請求項８のうちのいずれか１つに記載の超音波機器。
【請求項１０】
前記治療トランスデューサの前記複数の電気的に絶縁された区画が、平坦な圧電セラミック素材を有する、請求項１から請求項２、請求項５または請求項７から請求項９のうちのいずれか１つに記載の超音波機器。
【請求項１１】
前記治療トランスデューサの前記複数の電気的に絶縁された区画が、円形の圧電セラミック素材を有する、請求項１、請求項３または請求項６に記載の超音波機器。
【請求項１２】
前記治療トランスデューサの前記複数の電気的に絶縁された区画のそれぞれの曲率半径が、前記単一の音響レンズの曲率半径より小さい、請求項２、請求項４から請求項５または請求項７から請求項９のうちのいずれか１つに記載の超音波機器。
【請求項１３】
前記治療トランスデューサの前記処置面に連結し、前記処置面から伸びる連結ヘッドをさらに有する、請求項１から請求項１２のうちのいずれか１つに記載の超音波機器。
【請求項１４】
前記連結ヘッドが前記治療開口部の前記中央軸の方へ内側に曲げられた、請求項１３に記載の超音波機器。
【請求項１５】
前記連結ヘッドが前記少なくとも１つの音響レンズに外接する、請求項１３から請求項１４のうちのいずれか１つに記載の超音波機器。
【請求項１６】
前記連結ヘッドが膜を有し、液体が前記少なくとも１つの音響レンズと前記連結ヘッドの前記膜の間に封入された、請求項１３から請求項１５のうちのいずれか１つに記載の超音波機器。
【請求項１７】
前記連結ヘッドが固体の平面の円盤を備える、請求項１０から請求項１２のうちのいずれか１つに記載の超音波機器。
【請求項１８】
前記連結ヘッドが可撓性を有する、請求項１３から請求項１７のうちのいずれか１つに記載の超音波機器。
【請求項１９】
前記治療トランスデューサの前記複数の電気的に絶縁された区画、および前記画像化プローブを少なくとも部分的に取り囲む筐体をさらに備える、請求項１から請求項１８のうちのいずれか１つに記載の超音波機器。
【請求項２０】
前記治療トランスデューサに接続された増幅器をさらに備える、請求項１から請求項１９のうちのいずれか１つに記載の超音波機器。
【請求項２１】
前記増幅器を制御するよう構成されたコントロールシステムをさらに備える、請求項２０に記載の超音波機器。
【請求項２２】
前記複数の扇形域のそれぞれが超音波を焦点に向けるよう構成され、前記焦点は前記治療開口部の前記中央軸にあり、前記焦点は前記治療開口部の中心から約１ｃｍから約１８ｃｍの範囲にある、請求項２、請求項５、請求項７から請求項１０または請求項１２から請求項２１のうちのいずれか１つに記載の超音波機器。
【手続補正書】
【提出日】平成29年1月27日(2017.1.27)
【手続補正１】
【補正対象書類名】特許請求の範囲
【補正対象項目名】全文
【補正方法】変更
【補正の内容】
【特許請求の範囲】
【請求項１】
ＳＤＭ−４１に係る選択的な送達分子。
【化１】
2016516000.tif 000001
【請求項２】
１対の造影剤を対象の組織に送達するために用いられる分子であって、分子はＳＤＭ−４１である、分子。
【請求項３】
対象の組織は癌性であることを特徴とする、請求項２に記載の分子。
【請求項４】
癌組織は乳癌組織、結腸直腸癌組織、扁平上皮癌組織、皮膚癌組織、前立腺癌組織、黒色腫組織、甲状腺癌組織、卵巣癌組織、癌性のリンパ節組織、子宮頚部癌組織、肺癌組織、膵癌組織、頭頸部癌組織、または食道癌組織であることを特徴とする、請求項３に記載の分子。
【請求項５】
対象の組織を視覚化するために用いられる分子であって、分子はＳＤＭ−４１であることを特徴とする、分子。
【請求項６】
対象の組織は癌性であることを特徴とする、請求項５に記載の分子。
【請求項７】
癌組織は乳癌組織、結腸直腸癌組織、扁平上皮癌組織、皮膚癌組織、前立腺癌組織、黒色腫組織、甲状腺癌組織、卵巣癌組織、癌性のリンパ節組織、子宮頚部癌組織、肺癌組織、膵癌組織、頭頸部癌組織、または食道癌組織であることを特徴とする、請求項６に記載の分子。
【請求項８】
分子の使用は発光比率イメージング法による造影剤の視覚化をさらに含むことを特徴とする、請求項５に記載の分子。
【請求項９】
造影剤はカメラシステムによって検出されることを特徴とする、請求項５に記載の分子。
【請求項１０】
分子は静脈内に投与されることを特徴とする、請求項５に記載の分子。
【請求項１１】
対象の組織は指導された手術で視覚化されることを特徴とする、請求項５に記載の分子。
【請求項１２】
病理学者は造影剤の視覚化に基づいて対象の組織を位置付けることを特徴とする、請求項５に記載の分子。
【請求項１３】
分子ＳＤＭ−４１を含む組織サンプル。
【請求項１４】
組織サンプルは、病理学のスライド又は切片であることを特徴とする、請求項１３に記載の組織サンプル。
【請求項１５】
組織サンプルは、癌性であることを特徴とする、請求項１３に記載の組織サンプル。
【請求項１６】
癌組織は乳癌組織、結腸直腸癌組織、扁平上皮癌組織、皮膚癌組織、前立腺癌組織、黒色腫組織、甲状腺癌組織、卵巣癌組織、癌性のリンパ節組織、子宮頚部癌組織、肺癌組織、膵癌組織、頭頸部癌組織、または食道癌組織であることを特徴とする、請求項１５に記載の組織サンプル。
【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
術野のハイパースペクトル撮像を行うためのハイパースペクトル撮像装置であって、前記ハイパースペクトル撮像装置は、
照明されたエクソスコープであって、
縦方向ハウジングと、
前記縦方向ハウジング内に提供された光学撮像アセンブリと、
前記光学撮像アセンブリによって集められた画像を検出するために前記光学撮像アセンブリにインターフェース接続された撮像カメラと、
前記縦方向ハウジングによって支持された１つ以上の照明源であって、各々の照明源に関連づけられた照明軸が前記光学撮像アセンブリの撮像軸からオフセットされる、１つ以上の照明源と
を備える照明されたエクソスコープと、
遠隔光源と、
前記遠隔光源と光通信するスペクトルフィルタリングデバイスと、
前記スペクトルフィルタリングデバイスの出力と光通信する近位端と１つ以上の遠位端とを有するライトガイドであって、各々の遠位端が照明源と光通信する、ライトガイドと
を備える、ハイパースペクトル撮像装置。
【請求項２】
前記光学撮像アセンブリは、２５ｃｍより長い作動距離を備える、請求項１に記載のハイパースペクトル撮像装置。
【請求項３】
前記撮像カメラは、撮像ズームカメラであり、前記光学撮像アセンブリ及び前記撮像ズームカメラは、前記撮像ズームカメラによって集められた画像に関連づけられた最小視野が予め選択されたアクセスポートの直径とほぼ等しくなるように構成される、請求項１又は２に記載のハイパースペクトル撮像装置。
【請求項４】
前記ライトガイドは、光ファイバーバンドルである、請求項１〜３のいずれか一項に記載のハイパースペクトル撮像装置。
【請求項５】
各々のライトガイドは、回転可能なコネクタによってそれぞれの照明源に回転可能に取り付けられる、請求項１又は４に記載のハイパースペクトル撮像装置。
【請求項６】
前記照明源は、前記縦方向ハウジングの反対側に支持された２つの照明源を備える、請求項１〜５のいずれか一項に記載のハイパースペクトル撮像装置。
【請求項７】
前記２つの照明源の間の間隔は、３０ｍｍと３５ｍｍとの間である、請求項６に記載のハイパースペクトル撮像装置。
【請求項８】
前記照明源は、前記縦方向ハウジングの周囲の環状経路での前記照明源の回転を可能にする回転可能な据え付けメカニズムによって前記縦方向ハウジングに接続される、請求項１〜７のいずれか一項に記載のハイパースペクトル撮像装置。
【請求項９】
前記縦方向ハウジングをロボット位置決めアームに接続するための取り付けメカニズムを更に備える、請求項１〜８のいずれか一項に記載のハイパースペクトル撮像装置。
【請求項１０】
前記スペクトルフィルタリングデバイスは、空間光変調器に光学的に結合された分散素子を備える、請求項１〜９のいずれか一項に記載のハイパースペクトル撮像装置。
【請求項１１】
各々の照明源は、前記縦方向ハウジングの遠位端から縦方向に凹状に取り付けられる、請求項１〜１０のいずれか一項に記載のハイパースペクトル撮像装置。
【請求項１２】
医療手技中にアクセスポート内の術野を撮像するためのエクソスコープであって、前記エクソスコープは、
縦方向ハウジングと、
前記縦方向ハウジング内に提供された光学撮像アセンブリであって、２５ｃｍより長い作動距離を備える光学撮像アセンブリと、
前記光学撮像アセンブリによって集められた画像を検出するために前記光学撮像アセンブリにインターフェース接続された撮像ズームカメラと
を備え、前記光学撮像アセンブリ及び前記撮像ズームカメラは、前記撮像ズームカメラによって集められた画像に関連づけられた最小視野が前記アクセスポートの直径とほぼ等しくなるように構成される、エクソスコープ。
【請求項１３】
前記縦方向ハウジングによって支持された１つ以上の照明源を更に備え、各々の照明源に関連づけられた照明軸は、前記光学撮像アセンブリの撮像軸からオフセットされる、請求項１２に記載のエクソスコープ。
【請求項１４】
各々の照明源は、前記縦方向ハウジングの遠位端から縦方向に凹状に取り付けられる、請求項１３に記載のエクソスコープ。
【請求項１５】
各々の照明光源は、ライトガイドによって遠隔光源に結合される、請求項１３又は１４に記載のエクソスコープ。
【請求項１６】
前記照明源は、前記縦方向ハウジングの反対側に支持された２つの照明源を備える、請求項１３〜１５のいずれか一項に記載のエクソスコープ。
【請求項１７】
前記照明源は、前記縦方向ハウジングの周囲の環状経路での前記照明源の回転を可能にする回転可能な据え付けメカニズムによって前記縦方向ハウジングに接続される、請求項１３〜１６のいずれか一項に記載のエクソスコープ。
【請求項１８】
前記縦方向ハウジングをロボット位置決めアームに接続するための取り付けメカニズムを更に備える、請求項１３〜１７のいずれか一項に記載のエクソスコープ。
【請求項１９】
白色光ビデオフィードを提供しながらハイパースペクトル撮像を行う方法であって、前記方法は、
請求項１〜１１のいずれか一項に記載のハイパースペクトル装置を提供することであって、前記撮像カメラは、予め選択されたビデオフレームレートを超過するフレームレートを有するものである、ハイパースペクトル装置を提供することと、
ハイパースペクトル画像データを得ながら、
前記予め選択されたビデオフレームレートと等しい収集レートで白色光画像フレームを断続的に収集することと、
前記収集された白色光画像フレームに基づいて白色光ビデオフィードをレンダリングすることと
を備える、方法。
【請求項２０】
ハイパースペクトル画像データを得た後、前記予め選択されたビデオフレームレートで前記白色光ビデオフィードをレンダリングし続けることを更に備える、請求項１９に記載の方法。